(57)【要約】  購入者に属する口座と売り手に属する口座の間における電子取引の管理方法およびシステム。  方法およびシステムは、買い手が、紙幣／硬貨、クレジット・カード、または電話デバイス等の金銭の物理的な裏付けを使用することなく、非物質化された様式で支払いが行われることを可能にする。  支払いのセキュリティは、前もってシステムに記録されたユーザの少なくとも何らかの生体認証パラメータの認識に基づくユーザの認証によって、暗証番号によって、ユーザの顔の写真によって、また購買傾向を識別するアルゴリズムによって確保される。  口座が登録済みユーザに関連付けされ、そこから、支払いのために与えられることになる額が引き落とされる。
2020504376.tif 000002
【特許請求の範囲】
【請求項１】
管理システム（１）による、購入者に属する口座と売り手に属する口座の間における電子取引の管理方法であって、
（ａ）ユーザの少なくとも１つの生体認証データ、前記ユーザに関連付けられたセキュリティ・コード、および前記ユーザに関連付けられた少なくとも１つの口座のデータを、前記管理システム（１）の中央ユニット（２）内に包含されているストレージ手段内に記憶することを包含し、それにおいて前記少なくとも１つの生体認証データはユーザの指紋である、前記ユーザを登録するステップと、
（ｂ）前記登録されたユーザを、前記中央ユニット（２）に接続された支払いデバイス（３）によって認証するステップであって、獲得手段によって前記ユーザの少なくとも１つの生体認証データを獲得することと、前記獲得された少なくとも１つの生体認証データと前記記憶された少なくとも１つの生体認証データの対応を検証することを包含する、認証するステップと、
（ｃ）記憶されている前記ユーザに関連付けられた口座を通じて、前記支払いを課する前記ユーザに関連付けられた口座を選択するステップと、
（ｄ）前記セキュリティ・コードを挿入して支払いを承認することを要求するステップと、
（ｅ）前記挿入されたコードが、前記記憶されているセキュリティ・コードと整合する場合に、前記購入者に属する前記選択された口座から前記売り手に属する前記口座への前記電子取引を承認するステップと、
を包含し、前記ユーザを登録するステップが、さらに、
−  ユーザの個人データを挿入し、前記ストレージ手段内に記憶するステップと、
−  前記ユーザの顔の画像を獲得し、前記ストレージ手段内に記憶するステップと、
を包含し、かつ前記管理方法が、記憶され、かつ関連付けされた前記ユーザの顔の前記画像および前記獲得された生体認証データを、前記電子取引を承認する前に表示するステップを包含すること、
を特徴とする方法。
【請求項２】
前記電子取引と、以前に前記ユーザによって行われた電子取引との互換性を、前記ユーザの購買傾向に関係するデータを処理するアルゴリズムの実行を通じて検証するステップを包含する、請求項１に記載の方法。
【請求項３】
ユーザの購買傾向を記憶し、前記ユーザの購買傾向と１つまたは複数のユーザの人相学的特性の間の統計的な相関の計算を実行するステップを包含する、請求項１または２に記載の方法。
【請求項４】
請求項１から３のいずれか一項に記載の前記方法の少なくとも１つのステップを実装するに適切な、購入者に属する口座と売り手に属する口座の間における電子取引の管理システム（１）であって、
−  中央ユニット（２）であって、
１人または複数人のユーザに関連付けされたデータを挿入するための、前記データが、生体認証データ、セキュリティ・コード、および口座に関係するデータであるとする、第１のインターフェース手段と、
前記データのストレージ手段と、
−  前記中央ユニット（２）に関して離れている１つまたは複数の支払いデバイス（３）であって、それぞれが、ユーザによるデータの挿入のために構成された第２のインターフェース手段を包含し、かつユーザの生体認証パラメータの獲得手段を包含する支払いデバイス（３）と、
−  前記中央ユニット（２）と前記１つまたは複数の支払いデバイス（３）の接続手段と、
を包含し、それにおいて、前記中央ユニット（２）は、さらに、前記第２のインターフェース手段を使用して前記ユーザによって挿入された前記データと前記記憶されているデータとの比較に適切なデータ処理手段を包含し、
前記生体認証パラメータの獲得手段は、指紋の獲得のために構成され、
前記１人または複数人のユーザに関連付けされたデータが、さらに、個人データおよび顔の画像を包含することを特徴とする、管理システム（１）。
【請求項５】
前記中央ユニット（２）は、生体認証データおよび画像データの獲得手段を包含する、請求項４に記載の管理システム（１）。
【請求項６】
前記ストレージ手段は、ユーザの購買傾向に関係するデータを記憶するように構成される、請求項４または５に記載の管理システム（１）。
【請求項７】
コンピュータ上における実行時に請求項１から３のいずれか一項に記載の非物質化された支払いの方法を実装するべく構成されたコンピュータ・プログラム。
【発明の詳細な説明】
【技術分野】
【０００１】
本発明は、買い手の口座と売り手の口座の間における電子取引を管理するための方法およびシステムに関する。
【０００２】
提案されている方法およびシステムは、紙幣／硬貨、クレジット・カード、または電話／パーソナル電子デバイス等の物理的な金銭の裏付けを使用しないこと、および完全に安全な様式において非物質化モードで支払を行うことを可能にする。セキュリティ・プロトコルは、システムに前もって登録されたユーザの少なくとも１つの生体認証（バイオメトリック）パラメータの認識、暗証番号、ユーザの顔写真、および認識済みユーザの身元（アイデンティティ）の、そのユーザの登録済みの、支払いを行うために支払われるべき金額が取り出される口座に対する関連付けに基づく。
【背景技術】
【０００３】
現在のところ、商店から物品を買うことを欲する者は、支払いを行うための現金またはクレジット・カード／デビット・カードを有していなければならない。言い換えると、買い手には、物理的な金銭の裏付けが提供されてなければならない。
【０００４】
カードまたは現金または電話デバイスを持っていなければならないという事実は、金銭を盗もうとする悪意のある者による強盗または強奪に遭う深刻なリスクに買い手を曝す。
【０００５】
さらにまた不都合なことに、カードおよび現金は、紛失または損傷を受けやすく、これらの裏付けを行う物質につきものの傷みやすい性質に起因して、使用不能になる可能性がある。
【０００６】
請求項１のプリアンブルが基礎をおく特許文献１が起草され、ユーザの指紋の使用に基づいて財務取引を行うコンピュータ化されたシステムを実行するための方法を開示している。
【０００７】
特許文献２は、取引を行うユーザの顔写真を使用して財務取引を実行するアイディアを一般的な方法で示している。
【先行技術文献】
【特許文献】
【０００８】
【特許文献１】米国特許出願公開第２０１５／００４６３２８号明細書
【特許文献２】米国特許出願公開第２０１４／０３３０７２９号明細書
【発明の概要】
【発明が解決しようとする課題】
【０００９】
本発明によって扱われ、かつ解決される技術的問題は、したがって、前述した先行技術の欠点の克服を可能にする方法およびシステムの提供である。
【課題を解決するための手段】
【００１０】
この問題は、請求項１に記載の方法によって、また請求項４に記載のシステムによって解決される。
【００１１】
本発明の好ましい特徴は、従属請求項に定義されている。
【００１２】
本発明は、買い手が認識されて、かつ取引を完了するために、紙幣またはカード等の金銭の物理的な裏付けを使用しないことを可能にする、取引の管理方法および管理システムを提供する。
【００１３】
取引のセキュリティは、本発明のシステムに前もって記録されたユーザの少なくとも１つの生体認証パラメータの、また好ましくはそれと暗証番号およびユーザの写真の認識をはじめ、認識済みのユーザの身元と、そのユーザに属する口座の関連付けの助けにより保証される。口座は、本発明のシステム内に直接生成される専用口座、または既存の口座のいずれとしても良く、そこから支払いを行うために支払われるべき金額が取り出される。システムによって一旦認識された後であれば、認識済みユーザが、支払いのための口座を選択することが可能である。支払いを承認するために、ユーザは、承認コードまたは暗証番号を入力してもよい。
【００１４】
好都合なことに、本発明に従った方法は、完全に安全な状態の中で登録済みユーザが個人認識および取引を行うことを可能にする。
【００１５】
本発明の助けにより、買い手は、煩わしい脱磁の可能性のあるデビット・カード、強奪されるおそれのある現金、容易にクローニング可能なクレジット・カードから解放される。
【００１６】
さらにまた、支払いの承認に必要となる認識のためのユーザの生体認証パラメータの使用は、識別を確実にし、実際、第三者がユーザの口座から不当な支払いを行うことを可能にしない。指紋はクローニングが容易でなく、またたとえクローニングが行われたとしても、システムのメモリ内のその指紋と関連付けされたユーザの写真が、ユーザの身元を売り手がリアルタイムで検証することを可能にする。暗証番号は、登録時にユーザが記憶することが可能であり、それの挿入は、さらなるセキュリティ特徴を表す。
【００１７】
このことは、買い手の安全性の増加および電子取引による支払いの大幅な単純性、およびより一般的には、生活の質の向上を意味する。
【００１８】
本発明のこのほかの利点、特徴、および使用方法は、以下の、非限定的な例として開示されるいくつかの実施態様の詳細な説明から明らかになるであろう。
【００１９】
次に挙げる添付図面を参照する。
【図面の簡単な説明】
【００２０】
【図１】本発明に従った非物質化された支払方法を実装するためのシステムの好ましい実施態様を示した図式である。
【図２】本発明に従った非物質化された支払方法を実装するためのシステムの好ましい実施態様を示した図式である。
【図３】本発明に従った方法の記録ステップの好ましい実施態様を示したフローチャートである。
【図４】本発明に従った方法の支払い段階の第１の好ましい実施態様を示したフローチャートである。
【図５】本発明に従った方法の支払承認段階の第２の好ましい実施態様を示したフローチャートである。
【図６】人相学および発生論的決定論の考察に基づいた、支払いを行っているユーザの身元をさらに検証するアルゴリズムのフローチャートである。
【発明を実施するための形態】
【００２１】
上に挙げた図面は、専ら例証のために意図されたものであり、限定を目的としない。
【００２２】
図１および２を参照すると、全体が番号１としてラベル付けされた、本発明に従った電子取引の管理システムの好ましい実施態様が示されている。
【００２３】
システム１は、口座を用いた買い手と売り手（または商人）の間における電子支払システムの応用分野に関する。ここでの論考において、用語『口座』は、銀行口座と類似の電子マネーの取引を可能にする金銭の預託を意味する。
【００２４】
システム１は、第１に中央ユニットまたはサーバ２、および中央ユニットに接続された、前記中央ユニット２から離れている１つまたは複数の端末または支払いデバイス３を包含する。支払いデバイス３は、ユーザが、物理的な金銭の裏付けを必要とすることなく、非物質化された方法に従って安全にアイテムの支払いを行うことを可能にするために、商業活動の中に置くことが可能である。
【００２５】
本発明のシステムを使用するために、ユーザは、登録しなければならない。ユーザ登録は、サーバ２に、たとえばインターネットを介して接続された、または専用アプリケーションが提供されたＰＣ、タブレット、およびスマートフォン等の電子デバイスを使用して行い得る。
【００２６】
登録段階（図３）においては、ユーザはサーバ２に、適切に設計されたインターフェース手段を通じて、少なくとも１つの生体認証データ、好ましくは指紋、およびそのユーザに関連付けされた少なくとも１つの既存の口座からのデータを含むいくつかのデータを入力することが求められる。さらにまた、システムは、ユーザが新しい仮想口座を開設することを可能にしてもよい。これらのデータは、サーバ２の、この目的のために適切に設計されたストレージ手段内に記憶される。
【００２７】
ユーザに関連付けされ、かつ支払い時におけるユーザの認証に使用されるように、サーバ２への入力および記憶が求められる追加のデータには、個人データ、ユーザによって選択されたセキュリティ・コードまたは暗証番号、および、より詳細を後述するとおり、顔認識を行うことを可能にするユーザの顔の写真がある。
【００２８】
ユーザの個人的な詳細は、名前、姓／名、住居、納税コード／付加価値税（ＶＡＴ）番号、および電子メール・アドレスを含み得る。
【００２９】
それに加えて、登録段階の間に、次に挙げる、支払いおよびサービスの使用と関係のあるパラメータを選択することが可能である。
−  言語、および
−  通貨のタイプ。
【００３０】
生体認証データおよびユーザの顔の画像の挿入が関係する限り、サーバ２は、生体認証データおよび画像を獲得するための手段を含み得る。特に、その種の生体認証データ獲得手段は、ユーザの指紋獲得手段を包含し、画像獲得手段はビデオ・カメラまたはカメラを包含し得る。
【００３１】
登録済みユーザが、本発明のシステムを通して支払いを行わなければならないとき、そのユーザは、ユーザの認証のため、および支払いの承認のために（図４および５）必要となるすべての手段が含まれている支払いデバイス３を使用する。
【００３２】
支払いデバイス３は、生体認証データの獲得手段、獲得した生体認証データを処理するための手段、およびユーザがセキュリティ・コード等のデータを入力することを可能にするためおよびそれらの処理するためはもとより、売り手の口座に対する電子取引を行うユーザに関連付けされた口座の選択を可能にするために構成されたインターフェースおよび処理手段を包含する。本発明の代替実施態様によれば、支払いデバイス３が、データ獲得およびインターフェース手段だけを包含し、データ処理手段は、サーバ２上に実装される。
【００３３】
支払いを行うために、ユーザは、最初に自分自身の認証を行わなければならない。登録済みユーザの認証は、支払いデバイス３の獲得手段によるそのユーザの少なくとも１つの生体認証データ、たとえば、指紋の獲得、および獲得された生体認証データとサーバ２内に記憶されている生体認証データとの対応の検証を伴う。
【００３４】
システム１は、このように、買い手のデジタル指紋とサーバ２内に記憶されているユーザの指紋を関連付けする。さらなるユーザの身元の確認として、売り手は、その時点までに買い手によって入力済みのデータに関連付けされてサーバ内に記憶されているユーザの顔の写真を、ユーザの身元を正確に検証するために、見ることが可能である。さらにまた、ユーザは、セキュリティ・コードの入力も求められ、それが、購入の確認のために指紋と関連付けされた記憶済みコードと比較される。
【００３５】
提案の方法の好ましい実施態様は、指紋を用いて、売り手による視覚的な認識を用いて、またユーザ自身によって設定されたセキュリティ・コードの挿入により、安全な態様でユーザの身元の検証を行うことを可能にする。
【００３６】
一旦買い手がシステム１に認証された後は、支払いデバイスのインターフェース３が、支払いの引き落としのための口座をユーザが選択することを可能にする（認証済みユーザに関連付けされた複数の口座が記録されている場合）。ユーザは、初期の登録段階の間に承認した場合には、第三者の口座を用いた支払いを行ってもよく、たとえば、子供が親の口座に接続されることが許される。
【００３７】
一旦ユーザが口座を選択した後は、デバイス３のインターフェースを使用して支払われるべき金額を売り手が入力するか、またはいずれにしても、購入されたアイテムをスキャンすることによって自動的にその金額が入力される。
【００３８】
予想されるとおり、支払いを承認するために、デバイス３は、ユーザのセキュリティ・コードまたは暗証番号の挿入を要求できる。入力されたコードが、認証済みユーザに関連してサーバ２内に記憶されているセキュリティ・コードと整合する場合には、システムは、買い手の口座から売り手の口座への電子取引を承認する。
【００３９】
本発明の好ましい実施態様によれば、システム１を、ユーザによって行われた購入に関係する情報を自動的に記憶するべく構成できる。支払いを承認するプロセスの間に、購入の履歴データに基づいて、行われようとしている購入の、以前の購入と互換性のある値を計算し、結果として生じる何らかの異常をレポートするアルゴリズムを具体化することが可能である。
【００４０】
その種のアルゴリズムの基本的なスキームを図６に例示する。
【００４１】
このアルゴリズムは、本質的に、科学的人相学／発生論的決定論／エピジェネティクスの原理および理論に基づき、登録済みの顧客とその者の消費傾向（たとえば、出費の額、出費が行われた地理的な場所等に関係する履歴データ）の関連付けを提供する。顧客の消費傾向に関係するデータは、支払いが行われるときのユーザの認識段階において使用され得る。
【００４２】
基本的に、これらの理論の原理が組み合わされて、ユーザの消費傾向から獲得される情報から、ユーザの顔の認識可能な特徴が再構築される。消費傾向について収集され、記憶されたデータを、低、中、および高レベルの情報に基づくアルゴリズムに従って体系化することによって、結合して人の顔の顔面組成を導くそのほかの情報を獲得することが可能である。
【００４３】
言い換えると、人工視覚として、各単一の情報が、対応する顔の写真の形成における『ピクセル』を決定する。そのように再構成された『仮想』写真が、実質的にユーザの真の様相に整合する場合にのみ、支払いを承認するステップを企図することが可能である。
【００４４】
言い換えると、システム１は、顧客が支払システムを使用するときに、ユーザの傾向、すなわち支払いを行うタイプ、および取引が行われる場所に基づいて、これまで以上により正確になり、かつより曖昧でなくなる一連のアルゴリズムの実行を提供できる。この方法においては、行われた取引の数が増加するに従って、システムが、場所のタイプをはじめ地理的な位置の両方として、そのユーザの傾向およびそのユーザがもっとも頻繁に訪ねるサイトをたどり、ユーザの一意的なプロファイルを開発する。このプロファイリングは、指紋および暗証番号との組み合わせで、提案されている支払いシステムを、クラッキングおよび複製が不可能なものにする。
【００４５】
以上、好ましい実施態様を参照して本発明を説明してきた。以下に示す特許請求の範囲が保護する範囲によって定義されるものに同一の発明の核心を使用するそのほかの実施態様が存在し得ることは、理解されるものとする。
【符号の説明】
【００４６】
１  システム
２  中央ユニット、サーバ
３  支払いデバイス
【図１】
2020504376.tif 000003
【図２】
2020504376.tif 000004
【図３】
2020504376.tif 000005
【図４】
2020504376.tif 000006
【図５】
2020504376.tif 000007
【図６】
2020504376.tif 000008
【国際調査報告】
2020504376.tif 000009
2020504376.tif 000010